(57)【要約】      （修正有）【課題】裁縫作業者の布縁の折畳んだ幅の確認を補助可能にする。【解決手段】ミシンは、裁縫アームと、裁縫台と、を含み、前記裁縫台は裁縫プレートフォーム１３を有するミシン用発光装置において、前記裁縫プレートフォーム１３には、前記裁縫アームに対応する発光装置２０が設けてあることを特徴とするミシン用発光装置。【選択図】図２
0003137431.tif 000002
【実用新案登録請求の範囲】
【請求項１】
ミシン（１０）は、裁縫アーム（１２）と、裁縫台（１１）と、を含み、前記裁縫台（１１）は裁縫プレートフォーム（１３）を有するミシン用発光装置において、
前記裁縫プレートフォーム（１３）には、前記裁縫アーム（１２）に対応する発光装置（２０）が設けてあることを特徴とする、
ミシン用発光装置。
【請求項２】
前記発光装置（２０）は、発光ユニット（２１）と、布誘導器（２２）と、を含むことを特徴とする、請求項１に記載のミシン用発光装置。
【請求項３】
前記発光ユニット（２１）にはケーブル（２１１）が接続してあることを特徴とする、請求項２に記載のミシン用発光装置。
【請求項４】
前記発光ユニット（２１）は蛍光板であることを特徴とする、請求項２に記載のミシン用発光装置。
【請求項５】
前記布誘導器（２２）には、結合部（２２１）と、組付部（２２２）と、配線溝（２２３）とが設けてあることを特徴とする、請求項２に記載のミシン用発光装置。
【請求項６】
前記組付部（２２２）は粘着物を介して前記発光ユニット（２１）に組み付けられることを特徴とする、請求項５に記載のミシン用発光装置。
【請求項７】
前記結合部（２２１）には結合穴（２２４）が複数に開設してあることを特徴とする、請求項５に記載のミシン用発光装置。
【考案の詳細な説明】
【技術分野】
【０００１】
本考案は、裁縫作業者の布縁の折畳んだ幅の確認を補助するミシン用発光装置に関するものである。
【背景技術】
【０００２】
目下、服装を裁縫するときには、裁縫された布の布縁をスムーズで美観にするために、布の布縁を内側へ一定の幅に折畳んで裁縫することが一般である。
【０００３】
しかしながら、これは次のような欠点があった。
（イ）布の布縁の折畳みは人工でするので、布の布縁を均一に折畳むことができなく、作業者は布の布縁を折畳みながら裁縫することが必要であり、だから、裁縫に専念することができなく、裁縫作業は安全性の配慮がある。
【０００４】
（ロ）布の布縁を更に美観に折畳もうとする場合には、その困難度が更に高く、だから、大量生産は無理である。
【０００５】
裁縫作業の初心者でも容易に裁縫できるようにするために、あるミシンメーカは補助装置を開発し、例えば台湾特許第１９０８２１号公報の「ミシン裁縫台」は、このような補助装置の一つであって、ベースと、押付円弧片と、止めブロックと、押付スライド片と、エアシリンダー台とを含み、前記押付円弧片と、前記止めブロックと、前記押付スライド片と、が前記ベースに設けられ、且つ前記止めブロックが前記押付円弧片と押付スライド片との間に位置され、前記エアシリンダー台が前記ベースの下に配置され、裁縫時には、布の布縁が前記止めブロックに押付けられ、且つ前記布の一側が前記押付円弧片に寄られ、前記押付スライド片が前記ベースの上でのレールを摺動可能であることにより、前記押付スライド片は前記押付円弧片へ変位して前記布の他側に当接可能であり、これにより、布の布縁を均一の幅に折畳んで裁縫可能であり、しかし、この従来の技術によれば、布の布縁が前記止めブロックに完全に押付けたかどうかは確認できなく、裁縫された布の布縁はスムーズになれないことが多発する問題があった。
【０００６】
上記の問題を解決するために、例えば台湾特許第５２２１９０号公報の「カッター付きミシン」が提案され、このミシンは、台座本体の上には裁縫アームが延設してあり、前記台座本体には円筒形状台座が設けてあり、前記台座本体の外側にはカッター軸を駆動するための伝動軸が配置してあり、前記カッター軸は、前記円筒形状台座にあるカッター機構に組み付けられ、前記カッター機構と連動可能であり、ユーザは布の布縁を内側に折畳んだ後に前記円筒形状台座の上で裁縫をし、且つ折畳んだ布縁に発生した余計な布は裁縫しているときに前記カッター機構によって切ることができ、そうすると、布の布縁がスムーズで美観になり、且つ余計な布による着用心地の不快を回避可能であり、しかし、このようなミシンには、カッター軸と、カッター機構となどの装置を別に組付けることが必要であり、ひいてはこのようなミシンは高価になる問題があった。
【０００７】
そして、上記の二種類の従来の技術は、ある程度に布縁の裁縫を補助可能であるが、布縁の裁縫の最終の良さは依然として作業者の技術および経験によって決まる欠点があった。
【０００８】
【特許文献１】台湾特許第１９０８２１号公報
【特許文献２】台湾特許第５２２１９０号公報
【考案の開示】
【考案が解決しようとする課題】
【０００９】
本考案の主な目的は、裁縫作業者の布縁の折畳んだ幅の確認を補助するミシン用発光装置を提供することにある。
【課題を解決するための手段】
【００１０】
上記目的を達成するためになされた本願の考案は、ミシンは、裁縫アームと、裁縫台と、を含み、前記裁縫台は裁縫プレートフォームを有するミシン用発光装置において、前記裁縫プレートフォームには、前記裁縫アームに対応する発光装置が設けてあることを特徴とするミシン用発光装置であることを要旨としている。
本願の考案では、前記発光装置は、発光ユニットと、布誘導器と、を含むことを特徴とする請求項１に記載のミシン用発光装置であることを要旨としている。
【００１１】
本願の考案では、前記発光ユニットにはケーブルが接続してあることを特徴とする請求項２に記載のミシン用発光装置であることを要旨としている。
【００１２】
本願の考案では、前記発光ユニットは蛍光板であることを特徴とする請求項２に記載のミシン用発光装置であることを要旨としている。
【００１３】
本願の考案では、前記布誘導器には、結合部と、組付部と、配線溝とが設けてあることを特徴とする請求項２に記載のミシン用発光装置であることを要旨としている。
【００１４】
本願の考案では、前記組付部は粘着物を介して前記発光ユニットに組み付けられることを特徴とする請求項５に記載のミシン用発光装置であることを要旨としている。
【００１５】
本願の考案では、前記結合部には結合穴が複数に開設してあることを特徴とする請求項５に記載のミシン用発光装置であることを要旨としている。
【考案の効果】
【００１６】
本考案のミシン用発光装置によれば、次のような効果がある。
（イ）裁縫時には、ユーザは目で布４０の光線透過の様子を確認可能であり、すなわち、布４０の布縁の折畳んだ幅を目で確認可能である。
【００１７】
（ロ）本考案の発光装置２０は、何れかのタイプのミシン１０に簡単に取付可能であり、生産コストを降下可能であり、販売価格を下げることができる。
【００１８】
（ハ）本考案の発光装置２０からの光線を長時間に見ても、作業者の目は疲労しない。
【考案を実施するための最良の形態】
【００１９】
以下、添付図面を参照して本考案の好適な実施の形態を詳細に説明する。
【００２０】
まず、図１乃至図３を参照する。図１は本考案の外観斜視図であり、図２は本考案の構造の分解斜視図であり、図３は本考案の発光装置の分解斜視図である。本考案のミシン１０は、裁縫台１１と、前記裁縫台１１に組み付けられた裁縫アーム１２と、を含み、前記裁縫台１１は裁縫プレートフォーム１３を有し、裁縫作業は前記裁縫プレートフォーム１３の上で実施し、また、前記裁縫プレートフォーム１３には、前記裁縫アーム１２に対応する発光装置２０が設けてあり、前記発光装置２０は、発光ユニット２１と、布誘導器２２と、を含み、前記布誘導器２２には、結合部２２１と、組付部２２２と、配線溝２２３とが設けてあり、前記発光ユニット２１には配線溝２２３に沿ったケーブル２１１が接続してあり、前記ケーブル２１１が前記ミシン１０の内部に設けられた電源（図示せず）と電気的に連接しており、なお、前記結合部２２１には結合穴２２４が複数に開設してあり、前記結合穴２２４により前記発光装置２０を前記裁縫プレートフォーム１３に組付けることができ、本考案の実施例では、前記発光ユニット２１は蛍光板であり、前記組付部２２２は粘着物を介して前記発光ユニット２１に組み付けられ、前記裁縫プレートフォーム１３には前記布誘導器２２を収容する取付溝１３１が設けてあり、且つ前記発光ユニット２１の上面の高さが前記裁縫プレートフォーム１３の上面と同じである。
【００２１】
また、本考案の別の実施態様では、前記発光ユニット２１の上面の高さが前記裁縫プレートフォーム１３の上面と相違であってもよく、なお、前記発光ユニット２１は、粘着物を介して前記組付部２２２に固定すると共に、図６に示すように、更に、前記組付部２２２には前記発光ユニット２１を組付けるための位置決め溝２２５が設けてあり、また、本考案の発光ユニットは、図４に示すように、複数のランプ２１２を収容してある光透過可能なマスク（２１ａ）であってもいいし、図５に示すように、周縁に複数のランプ２１２が配設してある導光板（２１ｂ）であってもよく、これらのランプ２１２は発光ダイオードを採用することが好ましい。
【００２２】
また、図７Ａ乃至図７Ｃを参照しながら本考案の使用方法を詳細に説明する。図７Ａ乃至図７Ｃは本考案の布縁を折畳んで縫う作動を示す概略図である。本考案の使用方法は、図７Ａに示すように、布４０の布縁４１を下側へ折畳んで、前記裁縫プレートフォーム１３の上で裁縫作業を実施し、前記発光装置２０からの光線が前記布４０を透過することにより、作業者は、図７Ｂに示すように、前記布４０の光線透過の光度によって、折畳んだ布縁４１の幅が均一であるかどうかを確認可能であり、また、図７Ｃに示すように、ミシン１０の押え足３０と裁縫針３１とによって布４０を裁縫すると、折畳んだ布縁４１の幅が均一であるようになり、布全体の外観は綺麗になる。
【００２３】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２４】
【図１】本考案の外観斜視図である。
【図２】本考案の構造の分解斜視図である。
【図３】本考案の発光装置の分解斜視図である。
【図４】本考案の第一の実施態様を示す概略図である。
【図５】本考案の第二の実施態様を示す概略図である。
【図６】本考案の第三の実施態様を示す概略図である。
【図７Ａ】本考案の布縁を折畳んで縫う作動を示す概略図である。
【図７Ｂ】本考案の布縁を折畳んで縫う作動を示す概略図である。
【図７Ｃ】本考案の布縁を折畳んで縫う作動を示す概略図である。
【符号の説明】
【００２５】
１０・・ミシン、１１・・裁縫台、１２・・裁縫アーム、１３・・裁縫プレートフォーム、２０・・発光装置、２１・・発光ユニット、２１ａ・・発光ユニット、２２・・布誘導器、３０・・押え足、３１・・裁縫針、４０・・布、４１・・布縁、１３１・・取付溝、２１１・・ケーブル、２１２・・ランプ、２２１・・結合部、２２２・・組付部、２２３・・配線溝、２２４・・結合穴、２２５・・位置決め溝。
【図１】
0003137431.tif 000003
【図２】
0003137431.tif 000004
【図３】
0003137431.tif 000005
【図４】
0003137431.tif 000006
【図５】
0003137431.tif 000007
【図６】
0003137431.tif 000008
【図７Ａ】
0003137431.tif 000009
【図７Ｂ】
0003137431.tif 000010
【図７Ｃ】
0003137431.tif 000011